(57)【特許請求の範囲】
【請求項１】
ｐＨ電極と、該ｐＨ電極が得た検出値に基づきｐＨ測定値を得る演算制御装置とを備えるｐＨ計測システムであって、
前記演算制御装置は、計時部と、該計時部が計時した時刻と前記検出値とを取得する演算部を有し、
前記演算部は、前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成するように構成されたことを特徴とするｐＨ計測システム。
【請求項２】
前記調整情報は、前記洗浄周期を長くすること、及び前記洗浄時間を短くすることの一方または両方を指示する第１調整情報と、前記洗浄周期を短くすること、及び前記洗浄時間を長くすることの一方または両方を指示する第２調整情報を含み、
前記演算部は、前記評価時間が所定の第１基準時間Ｔ１以下または該第１基準時間Ｔ１未満であるときに前記第１調整情報を出力し、
前記評価時間が所定の第２基準時間Ｔ２以上（但し、Ｔ２＞Ｔ１）または該第２基準時間Ｔ２を超えるときに前記第２調整情報を出力する、請求項１に記載のｐＨ計測システム。
【請求項３】
前記第１基準時間Ｔ１は、過去の評価時間に基づいて設定された標準時間Ｔ０より所定の第１許容時間αだけ短い時間であり、前記第２基準時間Ｔ２は、前記標準時間Ｔ０よりも所定の第２許容時間βだけ長い時間である請求項２に記載のｐＨ計測システム。
【請求項４】
前記演算制御装置は、さらに設定された前記洗浄周期及び洗浄時間を記憶する記憶部を有し、
前記演算部は、生成した調整情報を反映して、前記洗浄周期及び洗浄時間の一方または両方を再設定して前記記憶部に記憶させ、該記憶させた洗浄周期及び洗浄時間と、前記計時部が計時した時刻を取得して、前記ｐＨ電極を薬液で洗浄する薬液洗浄装置を制御する洗浄制御情報を生成する請求項１〜３のいずれか一項に記載のｐＨ計測システム。
【請求項５】
前記演算制御装置は、さらに洗浄指示部を有し、
該洗浄指示部は、前記演算部が生成した洗浄制御情報に従い、前記ｐＨ電極に薬液を接触させる動作を前記薬液洗浄装置に行わせる洗浄信号を出力する請求項４に記載のｐＨ計測システム。
【請求項６】
さらに、前記洗浄信号に従い、前記ｐＨ電極を前記薬液で洗浄する薬液洗浄装置を備える請求項５に記載のｐＨ計測システム。
【請求項７】
ｐＨ電極と、該ｐＨ電極が得た検出値に基づきｐＨ測定値を得る演算制御装置とを備えるｐＨ計測システムの洗浄制御方法であって、
前記ｐＨ電極を薬液で洗浄する洗浄周期及び洗浄時間を設定し、
該設定に従い前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成し、
該生成した調整情報を反映して、前記洗浄周期及び洗浄時間の一方または両方を再設定することを特徴とするｐＨ計測システムの洗浄制御方法。
【請求項８】
ｐＨ電極と、該ｐＨ電極が得た検出値に基づきｐＨ測定値を得る演算制御装置とを備えるｐＨ計測システムの前記ｐＨ電極の薬液による洗浄を制御するためのプログラムであって、
予め設定した洗浄周期及び洗浄時間に従い前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成し、
該生成した調整情報を反映して、前記洗浄周期及び洗浄時間の一方または両方を再設定することを実行させることを特徴とするプログラム。
【発明の詳細な説明】
【技術分野】
【０００１】
本発明は、ｐＨ計測システム、ｐＨ計測システムの洗浄制御方法およびプログラムに関する。
【背景技術】
【０００２】
プラントや環境水などのｐＨを測定するために現場に設置されるｐＨ計測システムとして、ｐＨ電極に付着した汚れを洗浄するための自動洗浄機能を備えているものが知られている。このうち、ｐＨ電極を周期的に薬液洗浄する自動洗浄機能を備えたｐＨ計測システムにおいては、薬液洗浄の機会を利用してｐＨ電極の応答性を確認する機能を有するものがある。例えば、特許文献１では、ｐＨ電極を塩酸などの薬液で洗浄した後に水洗浄を行い、水洗浄開始後所定時間経過時に、ｐＨ測定値が所定の値に到達しているか否かをチェックし、到達していない場合は、エラー出力することが開示されている（特許文献１段落０１０６〜０１１１参照）。
【先行技術文献】
【特許文献】
【０００３】
【特許文献１】特許第３００３０６０号公報
【発明の概要】
【発明が解決しようとする課題】
【０００４】
ｐＨ電極の応答性の悪化は、ｐＨ電極の寿命による劣化だけでなく、ｐＨ電極への汚れの付着（蓄積）が原因となっている場合が多い。定期的に薬液洗浄を行っていても、洗浄周期が長すぎたり、ｐＨ電極を薬液と接触させる洗浄時間が短すぎたりして充分な洗浄が行われていなければ、ｐＨ電極に応答性を損なうような汚れが蓄積してしまう。
特許文献１に記載の技術によれば、汚れの蓄積が進行し、応答性が損なわれた最終段階でエラー出力することができる。しかし、汚れの蓄積に起因するｐＨ電極の応答性の悪化を未然に防止することはできない。エラー出力がされるほど汚れが蓄積してしまうと、作業員が現場に出向き、ｐＨ電極の手洗浄を行うなどのメンテナンスが必要となることも多い。
【０００５】
洗浄不足となる事態を避けるために、適切な洗浄周期や洗浄時間を設定することが望まれるが、ｐＨ電極の汚れ方は、測定対象の試料液の性状やｐＨ電極の使用環境、季節などによって変化する。そのため、ｐＨ電極の適切な洗浄周期や洗浄時間を一律に決定することができない。
そこで、洗浄不足によるエラー出力を招かないように洗浄周期を短めに設定したり洗浄時間を長めに設定したりすることが行われているが、この場合、薬液を無駄に消費してしまい洗浄コストや環境に与える負荷が増大するという問題があった。このように、従来の薬液洗浄機能を備えるｐＨ計測システムは、ユーザの利便性や環境負荷に対する配慮が十分でないという問題があった。
【０００６】
本発明は上記の点に鑑みてなされたものであり、ｐＨ電極を過不足なく薬液洗浄することができるｐＨ計測システム、ｐＨ計測システムの洗浄制御方法およびプログラムを提供することを課題とする。
【課題を解決するための手段】
【０００７】
上記の課題を達成するために、本発明は、以下の構成を採用した。
［１］ｐＨ電極と、該ｐＨ電極が得た検出値に基づきｐＨ測定値を得る演算制御装置とを備えるｐＨ計測システムであって、
前記演算制御装置は、計時部と、該計時部が計時した時刻と前記検出値とを取得する演算部を有し、
前記演算部は、前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成するように構成されたことを特徴とするｐＨ計測システム。
【０００８】
［２］前記調整情報は、前記洗浄周期を長くすること、及び前記洗浄時間を短くすることの一方または両方を指示する第１調整情報と、前記洗浄周期を短くすること、及び前記洗浄時間を長くすることの一方または両方を指示する第２調整情報を含み、
前記演算部は、前記評価時間が所定の第１基準時間Ｔ１以下または該第１基準時間Ｔ１未満であるときに前記第１調整情報を出力し、
前記評価時間が所定の第２基準時間Ｔ２以上（但し、Ｔ２＞Ｔ１）または該第２基準時間Ｔ２を超えるときに前記第２調整情報を出力する、［１］に記載のｐＨ計測システム。
【０００９】
［３］前記第１基準時間Ｔ１は、過去の評価時間に基づいて設定された標準時間Ｔ０より所定の第１許容時間αだけ短い時間であり、前記第２基準時間Ｔ２は、前記標準時間Ｔ０よりも所定の第２許容時間βだけ長い時間である［２］に記載のｐＨ計測システム。
［４］前記演算制御装置は、さらに設定された前記洗浄周期及び洗浄時間を記憶する記憶部を有し、
前記演算部は、生成した調整情報を反映して、前記洗浄周期及び洗浄時間の一方または両方を再設定して前記記憶部に記憶させ、該記憶させた洗浄周期及び洗浄時間と、前記計時部が計時した時刻を取得して、前記ｐＨ電極を薬液で洗浄する薬液洗浄装置を制御する洗浄制御情報を生成する［１］〜［３］のいずれか一項に記載のｐＨ計測システム。
［５］前記演算制御装置は、さらに洗浄指示部を有し、
該洗浄指示部は、前記演算部が生成した洗浄制御情報に従い、前記ｐＨ電極に薬液を接触させる動作を前記薬液洗浄装置に行わせる洗浄信号を出力する［４］に記載のｐＨ計測システム。
【００１０】
［６］さらに、前記洗浄信号に従い、前記ｐＨ電極を前記薬液で洗浄する薬液洗浄装置を備える［５］に記載のｐＨ計測システム。
【００１１】
［７］ｐＨ電極と、該ｐＨ電極が得た検出値に基づきｐＨ測定値を得る演算制御装置とを備えるｐＨ計測システムの洗浄制御方法であって、
前記ｐＨ電極を薬液で洗浄する洗浄周期及び洗浄時間を設定し、
該設定に従い前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成し、
該生成した調整情報を反映して、前記洗浄周期及び洗浄時間の一方または両方を再設定することを特徴とするｐＨ計測システムの洗浄制御方法。
【００１２】
［８］ｐＨ電極と、該ｐＨ電極が得た検出値に基づきｐＨ測定値を得る演算制御装置とを備えるｐＨ計測システムの前記ｐＨ電極の薬液による洗浄を制御するためのプログラムであって、
予め設定した洗浄周期及び洗浄時間に従い前記ｐＨ電極を薬液で洗浄する際に、薬液洗浄開始時刻から前記ｐＨ測定値または検出値が所定の値となる時刻迄の時間を評価時間として求め、
該評価時間に基づき、前記ｐＨ電極を前記薬液で洗浄する洗浄周期及び洗浄時間の一方または両方を調整する調整情報を生成し、
該生成した調整情報を反映して、前記洗浄周期及び洗浄時間の一方または両方を再設定することを実行させることを特徴とするプログラム。
【発明の効果】
【００１３】
本発明のｐＨ計測システム、ｐＨ計測システムの洗浄制御方法およびプログラムによれば、ｐＨ電極を過不足なく薬液洗浄することができる。
【図面の簡単な説明】
【００１４】
【図１】本発明の実施形態に係るｐＨ計測システムの全体構成図である。
【図２】本発明の実施形態のｐＨ計測システムが行う洗浄制御方法のフローチャートである。
【図３】本発明の他の実施形態のｐＨ計測システムが行う洗浄制御方法のフローチャートである。
【発明を実施するための形態】
【００１５】
本発明における薬液洗浄開始時刻とは、１回の薬液洗浄において、ｐＨ電極の感応部に、洗浄のための薬液が最初に到達する時刻または当該時刻と同視できる時刻である。
また、洗浄周期は、ｎ回目（ｎは正の整数）の薬液洗浄開始時刻から、ｎ＋１回目の薬液洗浄開始時刻迄の時間または当該時間と同視できる時間である。
また、洗浄時間は、１回の薬液洗浄において、ｐＨ電極に薬液を接触させている時間または当該時間と同視できる時間である。すなわち、薬液洗浄開始時刻から薬液洗浄終了時刻迄の時間である。
なお、薬液洗浄終了時刻とは、１回の薬液洗浄において、ｐＨ電極の感応部に、洗浄のための薬液が接触しなくなった時刻または当該時刻と同視できる時刻である。
【００１６】
＜第1実施形態＞
本発明の第１実施形態に係るｐＨ計測システムについて説明する。本実施形態のｐＨ計測システムは、予めプログラムされたタイムチャートに基づき、測定モードと洗浄モードとを交互に繰り返すようになっている。
本実施形態のｐＨ計測システムは、薬液洗浄時に洗浄周期を調整する調整情報を生成し、洗浄周期を再設定するようになっている。
また、試料液にｐＨ電極を浸漬したまま、ｐＨ電極の感応部に薬液と空気を吹き付け、吹き付けた空気によりｐＨ電極の感応部の周辺に空気層を形成することにより、薬液が試料液に希釈されることを防ぐ洗浄方式を採用したものである。
【００１７】
［装置構成］
図１に示すように、本実施形態のｐＨ計測システムは、ｐＨ電極１と装置本体１０と薬液洗浄装置３０を備えている。図１では、本実施形態のｐＨ計測システムに、外部の記録計５０を接続した例を示している。
【００１８】
ｐＨ電極１は、常時は試料液に浸漬され、試料液のｐＨに応じた電位（検出値）を得るようになっている。また、ｐＨ電極１には温度センサ-が内蔵され、試料液の温度情報も得られるようになっている。ｐＨ電極１は装置本体１０の電極入力端子１１に接続されており、測定モードと洗浄モードの何れの場合にも、電位と温度情報を継続的に得て装置本体１０に入力するようになっている。
【００１９】
薬液洗浄装置３０は、装置本体１０の洗浄出力端子１２に接続されている。薬液洗浄装置３０は、装置本体１０の洗浄出力端子１２から洗浄信号を受けている間、ｐＨ電極１の感応部に薬液と空気を吹き付けて洗浄するようになっている。
薬液洗浄装置３０は、外部電源からの電力供給を受ける外部電源端子（不図示）を備えている。
【００２０】
薬液と空気をｐＨ電極１に吹き付ける具体的な機構に特に限定はなく、計装空気やエアポンプを用いる公知の機構等を適宜採用できる。
例えば、計装空気を薬液タンクに導入する空気流路の弁を開き、計装空気と共に、薬液タンク内の薬液をｐＨ電極１に向けて吐出させる機構を採用することができる。
また、エアポンプを動作させると共に、エアポンプで送られる空気を薬液タンクに導入する空気流路の弁を開き、空気と共に薬液タンク内の薬液をｐＨ電極１に向けて吐出させる機構を採用することができる。
【００２１】
外部の記録計５０は、装置本体１０のデータ出力端子１３に接続され、データ出力端子１３から出力される伝送出力に応じて試料液のｐＨと温度情報を記録するようになっている。データ出力端子１３と記録計５０とは、直接、ケーブルで接続されていてもよいし、通信システムを利用して接続されていてもよい。
【００２２】
装置本体１０は、内部に演算制御装置２０を備えている。また、前面に表示装置１５と操作部１６とを、内部または外面に電極入力端子１１及び洗浄出力端子１２と、外部電源４０からの電力供給を受ける外部電源端子１４を備えている。
表示装置１５は、ｐＨ電極１が得た電位や、当該電位に対応するｐＨを表示するようになっている。また、演算制御装置２０が生成する調整情報等、ユーザが認識すべき各種情報を表示できるようになっている。
【００２３】
演算制御装置２０は、変換部２１、計時部２２、記憶部２３、演算部２４、洗浄指示部２５を備えている。
変換部２１を除く演算制御装置２０の一部、または全部は、ＬＳＩ（Ｌａｒｇｅ  Ｓｃａｌｅ  Ｉｎｔｅｇｒａｔｉｏｎ）等の集積回路として実現してもよい。また、計時部２２、記憶部２３、演算部２４、洗浄指示部２５を、各機能ブロックとして個別にプロセッサ化してもよいし、一部、または全部を集積してプロセッサ化してもよい。
また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００２４】
変換部２１は、ｐＨ電極１から入力される電位をインピーダンス変換及びＡ／Ｄ変換して、演算部２４に出力するようになっている。
計時部２２は、時刻情報を生成し、演算部２４に出力するようになっている。なお、本発明において時刻とは、単に、時の流れにおけるある一瞬、時点を意味する。ただし、時刻を特定するために、一日の起点である正子からの時間を時刻としてもよい。計時部２２は、測定モードと洗浄モードの何れの場合にも、時刻情報を継続的に生成して演算部２４に入力するようになっている。
【００２５】
記憶部２３は、予めプログラムされたタイムチャートを特定するための各種情報を記憶する。タイムチャートを特定するための各種情報には洗浄周期や洗浄時間の初期値や再設定値が含まれる。
また、ｐＨ電極１から入力される電位をｐＨに換算するための演算式や、必要な情報（例えば、校正によって得られた電極の起電力特性など）が記憶されるようになっている。また、演算部２４が各種演算を行う際に用いる数値（後述の標準時間、許容時間等）を記憶できるようになっている。
【００２６】
演算部２４は、測定モードと洗浄モードの何れの場合にも、時刻とその時刻における電位（検出値）とを、継続的に取得するようになっている。
また、ｐＨ電極１を薬液で洗浄する際に、後述のステップを行うことにより、ｐＨ電極１を薬液で洗浄する洗浄周期を調整する調整情報を生成し、さらに、生成した調整情報を反映した洗浄制御情報を生成するようになっている。
ここで、洗浄制御情報は、計時部２２が計時した時刻に対応して、薬液洗浄装置３０のオンオフを制御する情報である。
【００２７】
洗浄指示部２５は、演算部２４が生成した洗浄制御情報が薬液洗浄装置３０のオン状態（駆動状態）を指示する情報である場合、ｐＨ電極１に薬液を吹き付ける動作を薬液洗浄装置３０に行わせる洗浄信号（接点信号）を洗浄出力端子１２から出力するようになっている。
操作部１６は、予めプログラムされたタイムチャートとは異なる動作をｐＨ計測システムに行わせることや、種々の設定値を任意に変更するために用いられる。
【００２８】
［測定モード］
本実施形態のｐＨ計測システムでは、測定モードの間、演算部２４が、継続的に取得している電位を、同時に取得している温度情報に基づき温度補償されたｐＨ測定値に換算する。そして、得られたｐＨ測定値と温度を、逐次、表示装置１５に表示させると共に、データ出力端子１３から記録計５０に出力する。記録計５０には、ｐＨ測定値および温度と共に、該ｐＨ測定値を取得した際に計時部２２が計時した時刻を併せて出力してもよい。
【００２９】
［洗浄モード］
本実施形態のｐＨ計測システムにおいて、洗浄モードは、薬液吐出工程と薬液吐出工程に続く待機工程からなる。
洗浄モードの間も、演算部２４は、継続的に取得している電位を、同時に取得する温度情報に基づき温度補償されたｐＨ測定値に換算する。
表示装置１５には、その間に得られたｐＨ測定値と温度と共に、「洗浄モード」であることを示す表示などを表示させる。また、記録計５０には、洗浄モードであることを示す信号や、測定モードの最後に得られたｐＨ測定値や温度等のダミー情報に基づく信号を出力する。
【００３０】
本実施形態における薬液洗浄開始時刻は、薬液吐出工程開始時刻である。また、薬液洗浄終了時刻は、薬液吐出工程終了時刻である。
本実施形態では、評価時間の計時を、薬液吐出工程開始時刻から開始する。
本実施形態における洗浄時間は、薬液吐出工程の所用時間である。
また、本実施形態における洗浄周期は、ｎ回目の洗浄モードの薬液吐出工程開始時刻から、ｎ＋１回目の洗浄モードの薬液吐出工程開始時刻迄の時間である。
【００３１】
本実施形態のｐＨ計測システムは、以下のように動作する。
まず、演算部２４は、計時部２２からの情報により前回の洗浄モード開始時刻から設定されている洗浄周期が経過したことを認識すると、薬液吐出工程開始（洗浄モード開始）の情報（洗浄制御情報）を洗浄指示部２５に与える。同時に、表示装置１５の表示や記録計５０に送る信号を洗浄モードにおける表示や信号に切り替える。これにより洗浄指示部２５は薬液洗浄装置３０に対して洗浄信号（接点信号）を出力し、薬液洗浄装置３０は薬液と空気の吐出を開始する。
演算部２４は、その後計時部２２からの情報により薬液吐出工程開始時刻から設定されている洗浄時間が経過したことを認識すると、薬液吐出工程終了の情報（洗浄制御情報）を洗浄指示部２５に与える。これにより、洗浄指示部２５は薬液洗浄装置３０に対する洗浄信号の出力を中止し、薬液洗浄装置３０は薬液と空気の吐出を終了する。
【００３２】
薬液吐出工程終了後は、待機工程となる。演算部２４は、計時部２２からの情報により薬液吐出工程終了（待機工程開始）から設定されている待機時間が経過したことを認識すると、待機工程を終了する。すなわち、洗浄モードを終了し、測定モードに復帰する。
演算部２４は、薬液吐出工程において、洗浄指示部２５への洗浄制御情報の提供と並行して、以下に説明するように、洗浄周期を再設定する。
【００３３】
［洗浄周期の再設定］
本実施形態のｐＨ計測システムは、以下のステップを実行し、洗浄周期の再設定（本発明の洗浄制御方法）を行う。
ステップＳ１：薬液吐出工程開始時刻から、ｐＨ測定値が所定の値となる時刻迄の時間を評価時間として求める。
ステップＳ２：評価時間を所定の基準時間と対比して調整情報（周期）を生成する。
ステップＳ３：調整情報（周期）に基づき、洗浄周期を再設定する。
ステップＳ４：評価時間を算出できないときは、異常情報を生成する。
以下、各ステップについて、図２を参照しつつ詳述する。
【００３４】
ステップＳ１は、薬液吐出工程開始と同時に開始される。まず、継続的に取得しているｐＨ測定値が、記憶部２３に記憶されている所定の値となったか否かを判定する（ステップＳ１−１）。所定の値となっていない場合は、薬液吐出工程開始時刻からの経過時間が所定時間以上となっていないことを確認した上で（ステップＳ１−２）、ステップＳ１−１の判定を繰り返す。ステップＳ１−１の判定を繰り返し、ｐＨ測定値が所定の値となったら、薬液吐出工程開始時刻からその時の時刻迄の時間を評価時間として算出する（ステップＳ１−３）。
【００３５】
ステップＳ１−１で対比する所定の値は、使用する薬液の種類や濃度に応じて予め設定し、記憶部２３に記憶させておく。例えば、薬液として５質量％塩酸水溶液を用いる場合、ｐＨ２程度を所定の値とすればよい。使用する薬液の種類等を変更する場合は、操作部１６で新たな設定値を指定して、記憶部２３に記憶させておく。
【００３６】
ステップＳ２では、評価時間を所定の基準時間を対比して調整情報（周期）を生成する。本実施形態では、第１基準時間Ｔ１と第２基準時間Ｔ２（但し、Ｔ２＞Ｔ１）の、２つの所定の基準時間と対比して、洗浄周期を長くすることを指示する第１調整情報（周期）と、洗浄周期を短くすることを指示する第２調整情報（周期）を生成する。
【００３７】
演算部２４は、以下の（ａ）〜（ｄ）の何れかの基準に基づき、第１調整情報（周期）または第２調整情報（周期）を出力する。
（ａ）評価時間が第１基準時間Ｔ１以下であるときに第１調整情報（周期）を出力し、評価時間が第２基準時間以上であるときに第２調整情報（周期）を出力する。
（ｂ）評価時間が第１基準時間Ｔ１以下であるときに第１調整情報（周期）を出力し、評価時間が第２基準時間を超える時間であるときに第２調整情報（周期）を出力する。
（ｃ）評価時間が第１基準時間Ｔ１未満であるときに第１調整情報（周期）を出力し、評価時間が第２基準時間以上であるときに第２調整情報（周期）を出力する。
（ｄ）評価時間が第１基準時間Ｔ１未満であるときに第１調整情報（周期）を出力し、評価時間が第２基準時間を超える時間であるときに第２調整情報（周期）を出力する。
【００３８】
以下では、（ｃ）の基準に基づき、第１調整情報（周期）または第２調整情報（周期）を出力する場合を例にとって説明する。
まず、評価時間を第１基準時間Ｔ１と対比し（ステップＳ２−１）、第１基準時間Ｔ１以上であれば第２基準時間Ｔ２と対比する（ステップＳ２−２）。
そして、評価時間が第１基準時間Ｔ１未満であれば第１調整情報（周期）を生成し（ステップＳ２−３）、第２基準時間Ｔ２以上であれば第２調整情報（周期）を生成する（ステップＳ２−４）。
なお、評価時間が第１基準時間Ｔ１以上第２基準時間Ｔ２未満の場合は、調整情報（周期）を生成しない。または、洗浄周期を維持することを指示する第３調整情報（周期）を生成する。
【００３９】
第２基準時間Ｔ２は第１基準時間Ｔ１より長い。第１基準時間Ｔ１は洗浄が過剰か適切であるかを判定するための時間であり、第２基準時間Ｔ２は洗浄が不充分か適切であるかを判定するための時間である。
評価時間が第１基準時間Ｔ１未満の場合は、洗浄が過剰と判断されるので、第１調整情報（周期）を生成する。第１調整情報（周期）は、洗浄周期を長くすることを指示する情報である。
評価時間が第２基準時間Ｔ２以上の場合は、洗浄が不足と判断されるので、第２調整情報（周期）を生成する。第２調整情報（周期）は、洗浄周期を短くすることを指示する情報である。
評価時間が第１基準時間Ｔ１以上、かつ第２基準時間Ｔ２未満の場合は、洗浄が適切と判断されるので、調整情報（周期）を生成しない。または、洗浄周期を維持することを指示する第３調整情報（周期）を生成する。
【００４０】
第１基準時間Ｔ１と第２基準時間Ｔ２は、要求される測定精度や応答性に応じて適宜設定することができる。第１基準時間Ｔ１と第２基準時間Ｔ２は、各々固定値として記憶部２３に記憶されていてもよいし、過去の評価時間を考慮して、その都度再設定される値であってもよい。
過去の評価時間を考慮するには、まず、過去の評価時間に基づいて標準時間Ｔ０を設定する。例えば、過去一回分（例えば前回）の薬液洗浄における評価時間や、過去数回分の評価時間の平均値を標準時間Ｔ０とする。
なお、初期状態においては、過去の評価時間に基づいて標準時間Ｔ０を設定できない。そのため、記憶部２３に適切な標準時間Ｔ０の初期値を記憶させておき、初期状態では、この初期値を標準時間Ｔ０として利用する。
【００４１】
そして、標準時間Ｔ０より所定の第１許容時間αだけ短い時間（Ｔ０−α）を第１基準時間Ｔ１とし、標準時間Ｔ０より所定の第２許容時間βだけ長い時間（Ｔ０＋β）を第２基準時間Ｔ２とする。
第１許容時間αおよび第２許容時間βは、各々絶対時間（例えば１５秒などの絶対値）または標準時間Ｔ０に対して所定の係数（例えば０．２）を乗算した時間である。なお、第１許容時間αと第２許容時間βとは、同じであってもよいし、異なっていてもよい。
第１許容時間αおよび第２許容時間βは、要求される測定精度や応答性に応じて適宜設定することができる。
【００４２】
次回の薬液洗浄におけるステップＳ２で使用する第１基準時間Ｔ１と第２基準時間Ｔ２は、評価時間を算出した段階（ステップＳ１−３）で算出し、記憶部２３に記憶させてもよいし、評価時間を記憶部２３に記憶させておき、次回のステップＳ２の直前に記憶した評価時間から算出してもよい。
ｐＨ電極１は、充分に洗浄されていても経時劣化により、応答性が落ちる傾向がある。過去の評価時間に基づいて設定された標準時間Ｔ０を反映して第１基準時間Ｔ１と第２基準時間Ｔ２を設定すれば、経時劣化による応答性の変動を排除して、洗浄の過不足を評価しやすい。
【００４３】
ステップＳ３では、調整情報（周期）に基づき洗浄周期を再設定する。演算部２４が第１調整情報を生成（ステップＳ２−３）した場合は、洗浄周期を延長する（ステップＳ３−１）。演算部２４が第２調整情報（周期）を生成（ステップＳ２−４）した場合は、洗浄周期を短縮する（ステップＳ３−２）。演算部２４が調整情報（周期）を生成しなかった場合、または洗浄周期を維持することを指示する第３調整情報（周期）を生成した場合は、洗浄周期を維持する（ステップＳ３−３）。
以上のステップにより、洗浄周期の再設定が終了する。なお、ステップＳ１−２で開始時刻からの経過時間が所定時間以上となった場合は、電極の劣化や破損の可能性がある。この場合は、異常情報を生成して終了する（ステップＳ４）。
【００４４】
＜第２実施形態＞
本実施形態のｐＨ計測システムは、演算部２４がｐＨ電極１を薬液で洗浄する洗浄時間を調整する調整情報を生成し、洗浄時間を再設定するようになっている他は、第１実施形態のｐＨ計測システムと同じである。
演算部２４は、薬液吐出工程において、洗浄指示部２５への洗浄制御情報の提供と並行して、以下に説明するように、洗浄時間を再設定する。
【００４５】
［洗浄時間の再設定］
本実施形態のｐＨ計測システムは、以下のステップを実行し、洗浄時間の再設定（本発明の洗浄制御方法）を行う。
なお、以下のステップの説明において、洗浄周期の再設定の場合と同じステップについては、同一のステップ番号を付して、その詳細な説明を省略する。
【００４６】
ステップＳ１：薬液吐出工程開始時刻から、ｐＨ測定値が所定の値となる時刻迄の時間を評価時間として求める。
ステップＳ２’：評価時間を所定の基準時間と対比して調整情報（時間）を生成する。
ステップＳ３’：調整情報（時間）に基づき、洗浄時間を再設定する。
ステップＳ４：評価時間を算出できないときは、異常情報を生成する。
以下、各ステップについて、図３を参照しつつ詳述する。
ステップＳ１は、洗浄周期の再設定におけるステップＳ１と同じである。
【００４７】
ステップＳ２’では、評価時間を所定の基準時間を対比して調整情報（時間）を生成する。本実施形態では、第１基準時間Ｔ１と第２基準時間Ｔ２（但し、Ｔ２＞Ｔ１）の、２つの所定の基準時間と対比して、洗浄時間を短くすることを指示する第１調整情報（時間）と、洗浄時間を長くすることを指示する第２調整情報（時間）を生成する。
なお、第１基準時間Ｔ１と第２基準時間Ｔ２は、第１実施形態と同様にして設定することができる。
【００４８】
演算部２４は、以下の（ｅ）〜（ｈ）の何れかの基準に基づき、第１調整情報（時間）または第２調整情報（時間）を出力する。
（ｅ）評価時間が第１基準時間Ｔ１以下であるときに第１調整情報（時間）を出力し、評価時間が第２基準時間以上であるときに第２調整情報（時間）を出力する。
（ｆ）評価時間が第１基準時間Ｔ１以下であるときに第１調整情報（時間）を出力し、評価時間が第２基準時間を超える時間であるときに第２調整情報（時間）を出力する。
（ｇ）評価時間が第１基準時間Ｔ１未満であるときに第１調整情報（時間）を出力し、評価時間が第２基準時間以上であるときに第２調整情報（時間）を出力する。
（ｈ）評価時間が第１基準時間Ｔ１未満であるときに第１調整情報（時間）を出力し、評価時間が第２基準時間を超える時間であるときに第２調整情報（時間）を出力する。
【００４９】
以下では、（ｇ）の基準に基づき、第１調整情報（時間）または第２調整情報（時間）を出力する場合を例にとって説明する。
まず、洗浄周期の再設定の場合と同様に、ステップＳ２−１とステップＳ２−２を行う。
ステップＳ２−１とステップＳ２−２を行った結果、評価時間が第１基準時間Ｔ１未満であれば第１調整情報（時間）を生成し（ステップＳ２−５）、第２基準時間Ｔ２以上であれば第２調整情報（時間）を生成する（ステップＳ２−６）。
なお、評価時間が第１基準時間Ｔ１以上第２基準時間Ｔ２未満の場合は、調整情報（時間）を生成しない。または、洗浄周期を維持することを指示する第３調整情報（時間）を生成する。
【００５０】
第２基準時間Ｔ２は第１基準時間Ｔ１より長い。第１基準時間Ｔ１は洗浄が過剰か適切であるかを判定するための時間であり、第２基準時間Ｔ２は洗浄が不充分か適切であるかを判定するための時間である。
評価時間が第１基準時間Ｔ１未満の場合は、洗浄が過剰と判断されるので、第１調整情報（時間）を生成する。第１調整情報（時間）は、洗浄時間を短くすることを指示する情報である。
評価時間が第２基準時間Ｔ２以上の場合は、洗浄が不足と判断されるので、第２調整情報（時間）を生成する。第２調整情報（時間）は、洗浄時間を長くすることを指示する情報である。
評価時間が第１基準時間Ｔ１以上、かつ第２基準時間Ｔ２未満の場合は、洗浄が適切と判断されるので、調整情報（時間）を生成しない。または、洗浄周期を維持することを指示する第３調整情報（時間）を生成する。
【００５１】
ステップＳ３’では、調整情報（時間）に基づき洗浄時間を再設定する。演算部２４が第１調整情報（時間）を生成（ステップＳ２−５）した場合は、洗浄時間を短縮する（ステップＳ３−４）。演算部２４が第２調整情報（時間）を生成（ステップＳ２−６）した場合は、洗浄時間を延長する（ステップＳ３−５）。演算部２４が調整情報（時間）を生成しなかった場合、または洗浄時間を維持することを指示する第３調整情報（時間）を生成した場合は、洗浄時間を維持する（ステップＳ３−６）。
以上のステップにより、洗浄時間の再設定が終了する。なお、ステップＳ１−２で開始時刻からの経過時間が所定時間以上となった場合は、洗浄周期の再設定の場合と同様に異常情報を生成して終了する（ステップＳ４）。
【００５２】
＜第３実施形態＞
本発明の第３実施形態に係るｐＨ計測システムについて説明する。本実施形態のｐＨ計測システムは、予めプログラムされたタイムチャートに基づき、測定モードと洗浄モードとを交互に繰り返すようになっている。
本実施形態のｐＨ計測システムは、薬液洗浄時に洗浄周期を調整する調整情報を生成し、洗浄周期を再設定するようになっている。
また、試料液の水面からｐＨ電極を引き上げ、引き上げた空間でｐＨ電極の感応部に薬液と洗浄水を吹き付ける洗浄方式を採用したものである。
【００５３】
［装置構成］
本実施形態のｐＨ計測システムも、第１実施形態に係るｐＨ計測システムと同様に図１で示すことができるが、以下の点が、第１実施形態と相違している。
【００５４】
まず、演算部２４が生成する洗浄制御情報は、計時部２２が計時した時刻に対応して、薬液洗浄装置３０のｐＨ電極１の引き上げや薬液または洗浄水の吹きつけ等の動作を制御する情報である。
洗浄指示部２５は、演算部２４が生成した洗浄制御情報に基づき、薬液洗浄装置３０にｐＨ電極１の上下動を指示する信号、薬液の吹きつけを指示する洗浄信号、及び洗浄水の吹きつけを指示する信号を、各々接点信号または駆動電力として洗浄出力端子１２から出力するようになっている。
【００５５】
また、薬液洗浄装置３０は、装置本体１０の洗浄出力端子１２からの信号を受けてｐＨ電極１の感応部を試料液の水面から引き上げ、まず洗浄水ですすぎ、次いでｐＨ電極１の感応部に薬液を吹き付けて洗浄し、さらに洗浄水ですすいだ後、ｐＨ電極１の感応部を試料液中に戻すようになっている。本実施形態の薬液洗浄装置３０は、接点信号によって制御される場合は第１実施形態と同様に外部電源からの電力供給を受ける外部電源端子を備えているが、駆動電力により制御する場合は外部電源端子を備えていない。
【００５６】
薬液洗浄装置３０は、洗浄指示部２５からのｐＨ電極１の上下動を指示する信号により、例えば駆動用のエアシリンダーを用いてｐＨ電極１を上昇または下降させるようになっている。
【００５７】
また、洗浄指示部２５からの薬液の吹きつけを指示する洗浄信号により薬液をｐＨ電極１に向けて吐出するようになっている。
同様に、洗浄指示部２５からの洗浄水の吹きつけを指示する信号により洗浄水をｐＨ電極１に向けて吐出するようになっている。
薬液や洗浄水をｐＨ電極１に吹き付ける具体的な機構に特に限定はなく、計装空気やエアポンプを用いる公知の機構等を適宜採用できる。
【００５８】
［測定モード］
測定モードは、第１実施形態に係るｐＨ計測システムと同様である。
【００５９】
［洗浄モード］
本実施形態のｐＨ計測システムにおいて、洗浄モードは、電極上昇工程、洗浄水吐出工程（Ｉ）、薬液吐出工程、洗浄水吐出工程（II）、電極下降工程、及び待機工程を、順次行う工程である。
第１実施形態に係るｐＨ計測システムと同様に、表示装置１５には、その間に得られたｐＨ測定値と温度と共に、「洗浄モード」であることを示す表示などを表示させる。また、記録計５０には、洗浄モードであることを示す信号や、測定モードの最後に得られたｐＨ測定値や温度等のダミー情報に基づく信号を出力する。
【００６０】
本実施形態における薬液洗浄開始時刻は、薬液吐出工程開始時刻である。また、薬液洗浄終了時刻は、薬液吐出工程終了時刻である。
本実施形態では、評価時間の計時を、薬液吐出工程開始時刻から開始する。
本実施形態における洗浄時間は、薬液吐出工程の所用時間である。
また、本実施形態における洗浄周期は、ｎ回目の洗浄モードの薬液吐出工程開始時刻から、ｎ＋１回目の洗浄モードの薬液吐出工程開始時刻迄の時間である。ただし、便宜上、ｎ回目の洗浄モードの電極上昇工程開始時刻から、ｎ＋１回目の洗浄モードの電極上昇工程開始時刻迄の時間を洗浄周期として管理する。洗浄周期を管理する際の計時開始時刻をずらしても、実質的に洗浄周期を管理、調整できればよい。
【００６１】
本実施形態のｐＨ計測システムは、以下のように動作する。
まず、演算部２４は、計時部２２からの情報により前回の洗浄モード開始時刻から設定されている洗浄周期が経過したことを認識すると、電極上昇工程開始（洗浄モード開始）の情報（洗浄制御情報）を洗浄指示部２５に与える。そして、洗浄指示部２５は薬液洗浄装置３０に対してｐＨ電極１を上昇させる信号を与える。同時に、表示装置１５の表示や記録計５０に送る信号を洗浄モードにおける表示や信号に切り替える。
【００６２】
ｐＨ電極１の上昇が完了すると、演算部２４は、電極上昇工程を終了し洗浄水吐出工程（Ｉ）を開始する情報（洗浄制御情報）を洗浄指示部２５に与える。そして、洗浄指示部２５は薬液洗浄装置３０に対して洗浄水を吐出させる信号を出力する。
演算部２４は、その後計時部２２からの情報により洗浄水吐出工程（Ｉ）開始時刻から設定されているすすぎ時間が経過したことを認識すると、洗浄水吐出工程（Ｉ）終了の情報（洗浄制御情報）を洗浄指示部２５に与える。そして、洗浄指示部２５は薬液洗浄装置３０に対して洗浄水を吐出させる信号の出力を中止する。
【００６３】
演算部２４は、次いで薬液吐出工程を開始する情報（洗浄制御情報）を洗浄指示部２５に与える。そして、洗浄指示部２５は薬液洗浄装置３０に対して洗浄信号として薬液を吐出させる信号を出力する。
演算部２４は、その後計時部２２からの情報により薬液吐出工程開始時刻から設定されている洗浄時間が経過したことを認識すると、薬液吐出工程終了の情報（洗浄制御情報）を洗浄指示部２５に与える。そして、洗浄指示部２５は薬液洗浄装置３０に対して薬液を吐出させる信号の出力を中止する。
【００６４】
演算部２４は、次いで洗浄水吐出工程（II）開始の情報（洗浄制御情報）を洗浄指示部２５に与える。そして、洗浄指示部２５は薬液洗浄装置３０に対して洗浄水を吐出させる信号を出力する。
演算部２４は、その後計時部２２からの情報により洗浄水吐出工程（II）開始時刻から設定されているすすぎ時間が経過したことを認識すると、洗浄水吐出工程（II）終了の情報（洗浄制御情報）を洗浄指示部２５に与える。そして、洗浄指示部２５は薬液洗浄装置３０に対して洗浄水を吐出させる信号の出力を中止する。
【００６５】
演算部２４は、次いで電極下降工程開始の情報（洗浄制御情報）を洗浄指示部２５に与える。そして、洗浄指示部２５は薬液洗浄装置３０に対してｐＨ電極１を下降させる信号を与える。
ｐＨ電極１の下降終了後は、待機工程となる。演算部２４は、計時部２２からの情報により電極下降工程終了（待機工程開始）から設定されている待機時間が経過したことを認識すると、待機工程を終了する。すなわち、洗浄モードを終了し、測定モードに復帰する。
【００６６】
演算部２４は、薬液吐出工程において、洗浄指示部２５への洗浄制御情報の提供と並行して、洗浄周期を再設定する。すなわち、本発明の洗浄制御方法を行う。
洗浄周期の再設定の方法は、第１実施形態に係るｐＨ計測システムと同様である。
【００６７】
＜第４実施形態＞
本実施形態のｐＨ計測システムは、演算部２４がｐＨ電極１を薬液で洗浄する洗浄時間を調整する調整情報を生成し、洗浄時間を再設定するようになっている他は、第３実施形態のｐＨ計測システムと同じである。
演算部２４は、薬液吐出工程において、洗浄指示部２５への洗浄制御情報の提供と並行して、第２実施形態に係るｐＨ計測システムと同様にして、洗浄時間を再設定する。すなわち、本発明の洗浄制御方法を行う。
【００６８】
＜第５実施形態＞
本発明の第５実施形態に係るｐＨ計測システムについて説明する。本実施形態のｐＨ計測システムは、予めプログラムされたタイムチャートに基づき、測定モードと洗浄モードとを交互に繰り返すようになっている。
本実施形態のｐＨ計測システムは、薬液洗浄時に洗浄周期を調整する調整情報を生成し、洗浄周期を再設定するようになっている。
また、試料液と隔離された洗浄空間にｐＨ電極の感応部を移動し、洗浄空間内に薬液を導入し、次いで洗浄水を導入する洗浄方式を採用したものである。
【００６９】
［装置構成］
本実施形態のｐＨ計測システムも、第１実施形態に係るｐＨ計測システムと同様に図１で示すことができるが、以下の点が、第１実施形態と相違している。
【００７０】
まず、演算部２４が生成する洗浄制御情報は、計時部２２が計時した時刻に対応して、薬液洗浄装置３０のｐＨ電極１の洗浄空間への移動や薬液または洗浄水の洗浄空間への導入等の動作を制御する情報である。
洗浄指示部２５は、演算部２４が生成した洗浄制御情報に基づき、薬液洗浄装置３０にｐＨ電極１の移動を指示する信号、薬液の導入を指示する洗浄信号、及び洗浄水の導入を指示する信号を、各々デジタル信号として洗浄出力端子１２から出力するようになっている。
【００７１】
また、薬液洗浄装置３０は、装置本体１０の洗浄出力端子１２からの信号を受けてｐＨ電極１の感応部を試料液から洗浄空間に移動し、次いで洗浄空間に薬液を導入後排出し、さらに洗浄空間に洗浄水を導入後排出した後、ｐＨ電極１の感応部を試料液中に戻すようになっている。
薬液洗浄装置３０が上記動作を行う具体的な機構に特に限定はなく、例えば、特許第２９６４３４２号公報、特開２００７−１７８３９４号公報等に記載された公知の機構を適宜採用できる。
【００７２】
［測定モード］
測定モードは、第１実施形態に係るｐＨ計測システムと同様である。
【００７３】
［洗浄モード］
本実施形態のｐＨ計測システムにおいて、洗浄モードは、電極待避工程、薬液導入工程、薬液洗浄工程、薬液排出工程、洗浄水導入工程、すすぎ工程、洗浄水排出工程、電極復帰工程、及び待機工程を順次行う工程である。
第１実施形態に係るｐＨ計測システムと同様に、表示装置１５には、その間に得られたｐＨ測定値と温度と共に、「洗浄モード」であることを示す表示などを表示させる。また、記録計５０には、洗浄モードであることを示す信号や、測定モードの最後に得られたｐＨ測定値や温度等のダミー情報に基づく信号を出力する。
【００７４】
本実施形態における薬液洗浄開始時刻は、厳密には、薬液導入工程で薬液がｐＨ電極１の感応部に接触する程度に洗浄空間に導入された時刻であるが、便宜上、薬液導入工程の開始時刻を当該時刻と同視できるものとし、薬液洗浄開始時刻とみなす。
また、本実施形態における薬液洗浄終了時刻は、薬液排出工程で薬液がｐＨ電極１の感応部に接触しなくなる程度に洗浄空間から排出された時刻であるが、便宜上、薬液洗浄工程の終了時刻を当該時刻と同視できるものとし、洗浄終了時刻とみなす。
【００７５】
また、本実施形態では、評価時間の計時を、薬液洗浄開始時刻とみなした薬液導入工程の開始時刻から開始する。
また、本実施形態における洗浄時間は、薬液洗浄開始時刻とみなした薬液導入工程の開始時刻から、薬液洗浄終了時刻とみなした薬液洗浄工程の終了時刻迄の時間、すなわち、薬液導入工程と薬液洗浄工程の所用時間の合計である。
なお、薬液導入工程の所用時間が一定であれば、薬液洗浄工程の所用時間を洗浄時間として管理してもよい。
【００７６】
本実施形態における洗浄周期は、ｎ回目の薬液導入工程開始時刻から、ｎ＋１回目の薬液導入工程開始時刻迄の時間である。ただし、便宜上、ｎ回目の洗浄モードの電極待避工程開始時刻から、ｎ＋１回目の洗浄モードの電極待避工程開始時刻迄の時間を洗浄周期として管理する。洗浄周期を管理する際の計時開始時刻をずらしても、実質的に洗浄周期を管理、調整できればよい。
【００７７】
本実施形態のｐＨ計測システムは、以下のように動作する。
まず、演算部２４は、計時部２２からの情報により前回の洗浄モード開始時刻から設定されている洗浄周期が経過したことを認識すると、電極待避工程開始（洗浄モード開始）の情報（洗浄制御情報）を洗浄指示部２５に与える。そして、洗浄指示部２５は薬液洗浄装置３０に対してｐＨ電極１の感応部を試料液と隔離された洗浄空間に待避させる信号を与える。同時に、表示装置１５の表示や記録計５０に送る信号を洗浄モードにおける表示や信号に切り替える。
【００７８】
ｐＨ電極１の感応部の洗浄空間への待避が完了すると、演算部２４は、電極待避工程を終了し薬液導入工程を開始する情報（洗浄制御情報）を洗浄指示部２５に与える。そして、洗浄指示部２５は薬液洗浄装置３０に対して洗浄信号の一部として薬液を洗浄空間に導入する信号を出力する。
薬液導入が完了すると、演算部２４は、薬液導入工程を終了し薬液洗浄工程を開始する情報（洗浄制御情報）を洗浄指示部２５に与える。そして、洗浄指示部２５は薬液洗浄装置３０に対して洗浄信号の一部として薬液中に攪拌用の空気を導入させる（バブリングを行わせる）信号を出力する。
【００７９】
演算部２４は、その後計時部２２からの情報により薬液導入工程開始時刻から設定されている洗浄時間が経過したことを認識すると、薬液洗浄工程終了（薬液排出工程開始）の情報（洗浄制御情報）を洗浄指示部２５に与える。そして、洗浄指示部２５は薬液洗浄装置３０に対してバブリングを行わせる信号の出力を中止すると共に、洗浄空間から薬液を排出する信号を出力する。
【００８０】
薬液排出が完了すると、演算部２４は、薬液排出工程を終了し洗浄水導入工程を開始する情報（洗浄制御情報）を洗浄指示部２５に与える。そして、洗浄指示部２５は薬液洗浄装置３０に対して洗浄水を洗浄空間に導入する信号を出力する。
洗浄水導入が完了すると、演算部２４は、洗浄水導入工程を終了しすすぎ工程を開始する情報（洗浄制御情報）を洗浄指示部２５に与える。そして、洗浄指示部２５は薬液洗浄装置３０に対して洗浄水中に攪拌用の空気を導入させる（バブリングを行わせる）信号を出力する。
【００８１】
演算部２４は、その後計時部２２からの情報により設定されているすすぎ時間が経過したことを認識すると、すすぎ工程終了（洗浄水排出工程開始）の情報（洗浄制御情報）を洗浄指示部２５に与える。そして、洗浄指示部２５は薬液洗浄装置３０に対してバブリングを行わせる信号の出力を中止すると共に、洗浄空間から洗浄水を排出する信号を出力する。
【００８２】
洗浄水排出が完了すると、演算部２４は、洗浄水排出工程を終了し電極復帰工程を開始する情報（洗浄制御情報）を洗浄指示部２５に与える。そして、洗浄指示部２５は薬液洗浄装置３０に対してｐＨ電極１を移動させ、その感応部を試料液中に戻す信号を与える。
ｐＨ電極１の感応部が試料液中に戻った後は、待機工程となる。演算部２４は、計時部２２からの情報により電極復帰工程終了（待機工程開始）から設定されている待機時間が経過したことを認識すると、待機工程を終了する。すなわち、洗浄モードを終了し、測定モードに復帰する。
【００８３】
演算部２４は、薬液導入工程および薬液洗浄工程において、洗浄指示部２５への洗浄制御情報の提供と並行して、洗浄周期を再設定する。すなわち、本発明の洗浄制御方法を行う。
洗浄周期の再設定の方法は、第１実施形態に係るｐＨ計測システムにおけるステップＳ１を、以下のステップＳ１’に変更する点を除き同様である。
ステップＳ１’：薬液導入工程開始時刻からｐＨ測定値が、所定の値となる時刻迄の時間を評価時間として求める。
【００８４】
＜第６実施形態＞
本実施形態のｐＨ計測システムは、演算部２４がｐＨ電極１を薬液で洗浄する洗浄時間を調整する調整情報を生成し、洗浄時間を再設定するようになっている他は、第５実施形態のｐＨ計測システムと同じである。
演算部２４は、薬液導入工程および薬液洗浄工程において、洗浄指示部２５への洗浄制御情報の提供と並行して、洗浄時間を再設定する。すなわち、本発明の洗浄制御方法を行う。
洗浄時間の再設定の方法は、第２実施形態に係るｐＨ計測システムにおけるステップＳ１を、以下のステップＳ１’に変更する点を除き同様である。
ステップＳ１’：薬液導入工程開始時刻からｐＨ測定値が、所定の値となる時刻迄の時間を評価時間として求める。
【００８５】
＜その他の実施形態＞
上記各実施形態では、評価時間と対比する基準時間を、第１基準時間Ｔ１及び第１基準時間Ｔ１よりも長い第２基準時間Ｔ２と対比したが、評価時間と対比する基準時間の数に特に限定はない。
例えば、第２基準時間Ｔ２よりさらに長い第３基準時間Ｔ３を設定し、評価時間が第３基準時間Ｔ３以上である場合は、第２基準時間Ｔ２以上第３基準時間Ｔ３未満の場合よりも、さらに、洗浄周期を短くしたり、洗浄時間を長くしたりするなどの態様とすることができる。
また、第１基準時間Ｔ１よりさらに短い第４基準時間Ｔ４を設定し、評価時間が第４基準時間Ｔ４未満である場合は、第４基準時間Ｔ４以上第１基準時間Ｔ１未満の場合よりも、さらに、洗浄周期を長くしたり、洗浄時間を短くしたりするなどの態様とすることができる。
さらに、基準時間は１つのみであってもよい。例えば、評価時間が単一の基準時間Ｔ以上である場合は、洗浄周期を短くしたり洗浄時間を長くしたりし、評価時間が単一の基準時間Ｔ未満である場合は、洗浄周期を長くしたり洗浄時間を短くしたりするなどの態様とすることができる。
【００８６】
また、基準時間が複数ある場合、評価時間と対比する基準時間の順番に特に限定はない。例えば、上記各実施形態においては、評価時間を第１基準時間Ｔ１と対比した後に第２基準時間Ｔ２と対比する態様としたが、まず、第２基準時間Ｔ２と対比した後に第１基準時間Ｔ１と対比する態様としてもよい。
また、上記各実施形態では、評価時間を基準時間と対比する際、基準時間以上か、基準時間未満かにより生成する調整情報の種類を区分けする態様を詳述したが、基準時間を超えるか、基準時間以下かにより区分けをしてもよい。
また、上記各実施形態では、洗浄周期及び洗浄時間の一方のみを調整する態様を具体的に説明したが、洗浄周期及び洗浄時間の双方を同時に調整する態様でもよい。
【００８７】
また、上記各実施形態では、基準時間との対比により、延長するか短縮するか、という選択的な調整情報を生成する態様としたが、洗浄周期及び洗浄時間の一方または両方を連続的に調整する調整情報であってもよい。
例えば、評価時間を変数とする関数で次回の洗浄周期及び洗浄時間の一方または両方を決める調整情報としてもよい。具体的には、評価時間に一定の乗数をかけた時間を次回の洗浄時間とすることなどが考えられる。
【００８８】
また、上記各実施形態では、演算制御装置全体が装置本体に内蔵されている例を示したが、本発明の計測システムにおける演算制御装置の一部または全部は、装置本体に直接または通信システムを利用して接続される外部のコンピュータであってもよい。装置本体に直接外部のコンピュータを接続する場合、当該コンピュータは、装置本体に収納してもよい。
外部のコンピュータを用いる場合は、当該コンピュータを、本発明における演算制御装置の一部または全部として機能させるためのプログラムが必要となる。
【００８９】
プログラムは、予めコンピュータに記録されていてもよいし、コンピュータ読み取り可能な記録媒体に記録して、この記録媒体に記録されたプログラムをコンピュータに読み込ませてもよい。
また、予めコンピュータに記録されているプログラムと、コンピュータ読み取り可能な記録媒体に記録し、コンピュータに読み込ませるプログラムとを組み合わせてもよい。
【００９０】
ただし、外部のコンピュータを、本発明における演算制御装置の一部または全部として機能させるためには、予めインピーダンス変換及びＡ／Ｄ変換された検出値をコンピュータに入力する必要がある。そのため、上記実施形態における変換部は、装置本体に残すか、電極に変換部を持たせる必要がある。
また、上記各実施形態における変換部を演算制御装置の一部とせず、電極に変換部を持たせてもよい。
【００９１】
また、洗浄信号の具体的態様に特に限定はなく、上記第１実施形態や第２実施形態の洗浄信号をデジタル信号や駆動電力に置換してもよい。また、第３実施形態や第４実施形態の洗浄信号をデジタル信号に置換してもよい。また、第５実施形態や第６実施形態の洗浄信号を接点信号や駆動電力に置換してもよい。
【００９２】
また、上記各実施形態では、表示装置を備える例を示したが、表示装置は必須ではない。また、表示装置に代えて、または表示装置と共に、プリンターや、音声やブザー等を出力する装置を備えていてもよい。また、表示装置、プリンター、音声やブザー等を出力する装置等は、装置本体に一体化されている必要はなく、直接、または通信システムを利用して接続された外部装置であってもよい。
また、上記各実施形態では、演算部２４が、ｐＨ測定値と温度を、表示装置１５と外部の記録計５０に出力する態様としたが、ｐＨ測定値等を出力する対象に特に限定はなく、例えば、内蔵の、または外部のプリンターやコンピュータなどに出力してもよい。
【００９３】
また、上記各実施形態では、予めプログラムされたタイムチャートに基づき、測定モードと洗浄モードとを交互に繰り返す例を示したが、さらにｐＨ標準液を用いてｐＨ電極１を自動的に校正する校正モードを備えていてもよい。
校正モードの周期は、洗浄モードの周期と関連づけて管理されていてもよいし、洗浄モードの周期と独立して管理されていてもよい。
【００９４】
また、洗浄モードに代えて、洗浄と校正を続けて行う洗浄校正モードを行ってもよい。例えば第３実施形態と第４実施形態の洗浄モードは、電極上昇工程と薬液吐出工程と洗浄水吐出工程と電極下降工程と待機工程とからなっていたが、この洗浄モードに代えて、たとえば以下の工程を順次行う洗浄校正モードを行ってもよい。
・電極上昇工程、
・洗浄水吐出工程、
・薬液吐出工程、
・洗浄水吐出工程、
・ｐＨ７標準液校正工程、
・洗浄水吐出工程、
・ｐＨ４準液校正工程、
・洗浄水吐出工程、
・電極下降工程
・待機工程
【００９５】
なお、ｐＨ７標準液校正工程は、ｐＨ７標準液をｐＨ電極の感応部に吹き付けた状態でそのときの電位（検出値）とｐＨとの関係を記憶部２３に記憶させるゼロ校正の工程であり、ｐＨ４標準液校正工程は、ｐＨ４標準液をｐＨ電極の感応部に吹き付けた状態でそのときの電位（検出値）とｐＨとの関係を記憶部２３に記憶させるスパン校正の工程である。
【００９６】
また、上記各実施形態では、予めプログラムされたタイムチャートに基づき、測定モードと洗浄モードとを交互に繰り返す例を示したが、人手により薬液洗浄を行うようにしてもよい。
その場合、薬液にｐＨ電極を浸漬するのと同時に操作部１６から洗浄開始の情報を入力することにより、洗浄周期及び洗浄時間の一方または両方を再設定するための評価時間の計時を開始することができる。
また、求めた調整情報、再設定した洗浄周期、再設定した洗浄周期に基づく次回の洗浄時期等を表示装置やプリンターによって示すことにより、ユーザは、次回の洗浄時期等を知得することができる。
【符号の説明】
【００９７】
１…ｐＨ電極、１０…装置本体、１１…電極入力端子、１２…洗浄出力端子、
１３…データ出力端子、１４…外部電源端子、１５…表示装置、１６…操作部、
２０…演算制御装置、２１…変換部、２２…計時部、２３…記憶部、２４…演算部、
２５…洗浄指示部、３０…薬液洗浄装置、４０…外部電源、５０…記録計
【図１】
0006323208.tif 000002
【図２】
0006323208.tif 000003
【図３】
0006323208.tif 000004